(57)【要約】【課題】磁性体コアへの導電体の巻線作業が簡易となり、また仕上がり寸法を安定して小さくし得るコモンモードコイルを提供する。【解決手段】磁性体コア６に導電体が巻回され２つのコイルを構成してなる大電流に対応したコモンモードコイルにおいて、磁性体コア６を保持する保持体７と、導電体は、複数の金属板４，５からなり、保持体６に組込むことで上記コイルを構成する。【効果】剛性の高いワイヤを巻回する場合に比して、磁性体コアへの巻線が容易となり、作業効率を向上させることができる。また、大径のワイヤを磁性体コアに巻回した場合に比して、導電体となる金属板と磁性体コアとの間の余計な空間が減少し、仕上がり寸法を小さく安定させることができるようになる。【選択図】  図１
2004266081.tif 000002
【特許請求の範囲】
【請求項１】
磁性体コアに導電体が巻回され２つのコイルを構成してなる大電流に対応したコモンモードコイルにおいて、
上記磁性体コアを保持する保持体と、
上記導電体は、複数の金属板からなり、上記保持体に組込むことで上記コイルを構成することを特徴とするコモンモードコイル。
【請求項２】
上記導電体は、Ｃ字状を呈する第１の金属板と、Ｉ字状を呈する第２の金属板とからなり、
対向して並べられた複数の前記第１の金属板の相対向しない端部同士が、前記第２の金属板で接続されて螺旋状とされることを特徴とする請求項１記載のコモンモードコイル。
【請求項３】
上記第１の金属板と第２の金属板とは、半田付けにより接続されることを特徴とする請求項２記載のコモンモードコイル。
【請求項４】
上記磁性体コアは、リング状を呈するとともに、絶縁材料からなる上記保持体に取り付けられ、該保持体に上記第１の金属板及び上記第２の金属板を組込むことで上記磁性体コアに巻回されることを特徴とする請求項１及び２記載のコモンモードコイル。
【請求項５】
上記保持体には、上記磁性体コアが取り付けられる載置部と上記第１の金属板及び第２の金属板が取り付けられる溝部及び孔部が形成されていることを特徴とする請求項１及び４記載のコモンモードコイル。
【発明の詳細な説明】
【０００１】
【発明の属する技術分野】
本発明は、例えばノイズフィルタに使用される大電流用のコモンモードコイルに関する。
【０００２】
【従来の技術】
従来から、各種電子機器のノイズ対策用として、この電子機器の入力側にノイズフィルタが付加されており、このノイズフィルタには、磁性体コアに導電体であるワイヤが巻回され２つのコイルを構成してなるコモンモードコイルが使用されている。そして、このコモンモードコイルでは、大電流に対応し得るように、直流抵抗を小さくする大径のワイヤが用いられている。
【０００３】
しかしながら、上述したように大径のワイヤを磁性体コアに巻回するタイプのコモンモードコイルにおいては、ワイヤの径を大きくするほどワイヤの剛性が高くなって、磁性体コアへの巻線作業が困難となる。
【０００４】
また、図６（ａ）及び（ｂ）に示すように、剛性の高い大径のワイヤ５１を磁性体コア５２に巻回した場合には、ワイヤ５１と磁性体コア５２との間に余計な空間ができやすくなるため、コイル特性の劣化や外形形状が大きくなって、仕上がり寸法が安定しないという問題がある。
その対策として、上記ワイヤに絶縁被覆を施した可動性のある平編銅線を磁性体コアに巻回しコイルを形成することによって、磁性体コアとワイヤとの余計な空間を無くしたコモンモードコイル等が提案されている（例えば、特許文献１参照）。
【０００５】
【特許文献１】
特開２００２−２３１５３５号公報
【０００６】
【発明が解決しようとする課題】
そこで、本発明は、磁性体コアへの導電体の巻線作業が簡易となり、また仕上がり寸法を安定して小さくし得るコモンモードコイルを提供することを目的とする。
【０００７】
【課題を解決するための手段】
上述した目的を達成する本発明に係るコモンモードコイルは、磁性体コアに導電体が巻回され２つのコイルを構成してなる大電流に対応したコモンモードコイルにおいて、上記磁性体コアを保持する保持体と、上記導電体は、複数の金属板からなり、上記保持体に組込むことで上記コイルを構成することを特徴とする。そして、この導電体となる複数の金属板は、磁性体コアの形状に応じて、例えばＣ字状を呈する第１の金属板と、Ｉ字状を呈する第２の金属板とからなる。また、上記保持体には、上記磁性体コアが取り付けられる溝部と上記第１の金属板及び第２の金属板が取り付けられる溝部及び孔部が形成されている。
【０００８】
上述した構成の本発明に係るコモンモードコイルは、複数の金属板を磁性体コアを保持する保持体に組込む且つ接続し螺旋状に構成した導電体が、大径のワイヤに代えて磁性体コアに巻回される。本発明によれば、複数の金属板を磁性体コアを保持する保持体に組込む且つ、つなぎ合わせるという簡易な作業により導電体の巻回が可能となり、剛性の高いワイヤ等を巻回する場合に比して、導電体の巻線作業を容易となり作業効率が向上する。また、本発明では、大径のワイヤを磁性体コアに巻回した場合に比して、磁性体コアとの間の余計な空間が減少し、仕上がり寸法を小さく安定する。
【０００９】
【発明の実施の形態】
以下、本発明に係るコモンモードコイルの具体的な実施の形態について、図面を参照しながら詳細に説明する。
【００１０】
コモンモードコイル１は、図１及び図２に示すように、巻線部２と、この巻線部２が取り付けられるコア部３とからなる。このコモンモードコイル１は、例えば電子機器におけるノイズ低減用のノイズフィルタ等に使用される大電流に対応したコイルである。
【００１１】
巻線部２は、導電体となる２種類の形状の金属板、具体的にはＣ字状を呈するＣ型金属板４と、Ｉ字状を呈するＩ型金属板５とからなる。これらＣ型金属板４とＩ型金属板５とは、例えば表面に絶縁被膜処理を施した銅板等を使用する。なお、これら金属板の形状は、巻回する磁性体コアの形状に合わせて変更することも可能である。
【００１２】
これらＣ型金属板４とＩ型金属板５とは、ワイヤに代替して上記コア部３に巻回される。Ｃ型金属板４とＩ型金属板５とは、対向して並べられた２枚のＣ型金属板４をＩ型金属板５で接続、具体的には図３に示すように、一方のＣ型金属板４の一の端部４ａと他方のＣ型金属板４の端部４ｂという相対向しない端部同士をＩ型金属板５にて接続し、これを複数繰り返すことによって螺旋状に構成される。Ｉ型金属板５は、上述したように相対向しない端部同士を接続しうるように、両端部間が傾斜して形成されている。巻線部２を構成するＣ型金属板４とＩ型金属板５とは、半田付けによって接続される。
【００１３】
コア部３は、コア芯材６と、このコア芯材６が取り付けられる保持体７とからなる。コア芯材６は、閉磁路を構成する磁性体であり、長方形リング状を呈してなる。また、保持体７は、樹脂等の絶縁材料からなり、コア芯材６を載置するコア載置部８を有する。このコア載置部８は、中央に長方形リング状のコア芯材６の孔部に挿入される嵌合部９が形成され、また、長辺側に一対の側壁１０が形成されている。
【００１４】
このような保持体７には、図１及び図４に示すように、第１の溝部１１が嵌合部９の上面に、第２の溝部１２が側壁１０の外面から該保持体７の底面に亘って複数形成されている。また、保持体７には、第１の溝部１１に開口し該保持体７の表裏に亘って貫通する孔部１３が嵌合部９に複数形成されている。これら第１及び第２の溝部１１、１２及び孔部１３には、上述した巻線部２を構成するＣ型金属板４とＩ型金属板５とが配設される。
【００１５】
コモンモードコイル１においては、上述したように複数のＣ型金属板４とＩ型金属板５とが接続されて螺旋状とされる巻線部２が、コア部３に対して以下のようにして取り付けられる。
【００１６】
まず、コア載置部８にコア芯材６が載置された保持体７、すなわちコア部２に、Ｃ型金属板４が取り付けられる。なお、以下の説明におけるＣ型金属板４では、コア芯材６内側に配される端部を端部４ａとし、外側に配される端部を端部４ｂと称して説明する。Ｃ型金属板４は、嵌合部９に形成された孔部１３に一方の脚部、例えば端部４ａ側の脚部が挿入されるとともに、第１の溝部１１及び側壁１０部分の第２の溝部１２に他の部分が嵌合されることによって取り付けられる。コア部２には、上記と同様にして、複数のＣ型金属板４が各孔部１３及び各溝部に取り付けられる。
【００１７】
次に、複数のＣ型金属板４が取り付けられた状態で、コア部２にＩ型金属板５が取り付けられる。Ｉ型金属板５は、図５に示すように、保持体７の底面部分の第２の溝部１２に嵌合されることによって取り付けられる。この保持体７の底面部分の第２の溝部１２は、図４及び図５に示すように、Ｃ型金属板４の端部４ｂが臨む側壁１０部分の第２の溝部１２と、他の、具体的には一つ後ろのＣ型金属板４の端部４ａが臨む孔部１３の開口とを結ぶよう形成されている。したがって、保持体７の底面部分の第２の溝部１２にＩ型金属板５を嵌合させることによって、２枚のＣ型金属板４の相対向しない端部４ａ、４ｂ同士を接続することが可能となる。コア部２には、上記と同様にして、複数のＩ型金属板５が各保持体７の底面部分の第２の溝部１２に取り付けられる。
【００１８】
そして、Ｃ型金属板４とＩ型金属板５との各接点が半田付けされることによって、複数のＣ型金属板４と複数のＣ型金属板５とで螺旋状に構成され、コア部３に巻回される巻線部２とされる。
【００１９】
なお、先頭のＣ型金属板４の端部４ａと、最後のＣ型金属板４の端部４ｂ、すなわち巻線部２における両端部には、それぞれ端子用金属板１４が接続される。この端子用金属板１４も、Ｃ型金属板４との接点が半田付けされる。コモンモードコイル１は、上記端子用金属板１４に端子電極が接続されることで、回路基板に対して実装される。
【００２０】
上述したようにコア部３に巻回される巻線部２が構成されるコモンモードコイル１では、コア芯材６と巻線部２、すなわちＣ型金属板４及びＩ型金属板５との間、Ｃ型金属板４とＩ型金属板５との間には、絶縁材料からなる保持部７が介在しており、各部の絶縁が図られている。
【００２１】
このようなコモンモードコイル１では、複数のＣ型金属板４と複数のＩ型金属板５とをコア芯材６を保持する保持部７に組込む且つ螺旋状に接続するという簡易な作業で得ることができる巻線部２を、大径のワイヤに代えて磁性体であるコア芯材６に巻回しているため、剛性の高いワイヤを巻回する場合に比して、導電体の巻線作業が容易となる。また、Ｃ型金属板４とＩ型金属板との接続も半田付けという簡易な方法によって可能である。このため、巻線作業の作業効率を向上させることができる。
【００２２】
また、コモンモードコイル１は、金属板形状を巻回するコア芯材６の形状に応じたものを使用するため、大径のワイヤを磁性体コアに巻回した場合に比して、巻線部２とコア芯材６（磁性体コア）との間の余計な空間が減少する。このため、仕上がり寸法を小さく安定させることができる。
【００２３】
そして、上述した導電体の巻線作業の容易化、及び仕上がり寸法の安定化によって、回路基板等へ実装する際の端末処理を容易に行うことができるようになり、作業効率も向上した。
【００２４】
【発明の効果】
以上、詳細に説明したように、本発明に係るコモンモードコイルでは、複数の金属板を磁性体コアを保持する保持体に組込む且つ接続し螺旋状に構成した導電体が、大径のワイヤに代えて磁性体コアに巻回される。このため、本発明によれば、剛性の高いワイヤを巻回する場合に比して、磁性体コアへの巻線が容易となり、作業効率を向上させることができる。また、本発明によれば、大径のワイヤを磁性体コアに巻回した場合に比して、導電体となる金属板と磁性体コアとの間の余計な空間が減少し、仕上がり寸法を小さく安定させることができるようになる。
【図面の簡単な説明】
【図１】本発明に係るコモンモードコイルの分解斜視図である。
【図２】同コモンモードコイルの斜視図である。
【図３】巻線部における各金属板の接続状態を説明するための斜視図である。
【図４】保持体を底面側から示す斜視図である。
【図５】同コモンモードコイルの底面図である。
【図６】従来のコモンモードコイルにおける巻線の状態を説明するための図であり、（ａ）は正面側から見た従来のコモンモードコイルを示す図、（ｂ）は側面側から見た従来のコモンモードコイルを示す図である。
【符号の説明】
１        コモンモードコイル
２        巻線部
３        コア部
４        Ｃ型金属板
５        Ｉ型金属板
６        コア芯材
７        保持体
８        コア載置部
９        嵌合部
１０      側壁
１１      第１の溝部
１２      第２の溝部
１３      孔部
１４      端子用金属板
【図１】
2004266081.tif 000003
【図２】
2004266081.tif 000004
【図３】
2004266081.tif 000005
【図４】
2004266081.tif 000006
【図５】
2004266081.tif 000007
【図６】
2004266081.tif 000008